(57)【要約】【課題】室内の負圧化を防止して所定排気性能の発揮と騒音発生の抑制を可能とし且つ運転コストの低下を可能とした外観よくコンパクトな換気扇を提供する。【解決手段】室内側にコンパクトな径の軸流ファン２０を使用し，その背面に壁を貫通するように異径３本のパイプによる同軸パイプ１０を配置して室内の排気を排出するための排気専用路１６と該排気の排出によって生じる室内の負圧化を利用して室内側に外気を導入する吸気専用路１７の２種区分のエア通路を室内外方向に同軸形成して軸流ファン２０の駆動と同時に室内を正圧化するようにし，また同軸パイプ１０の室外側に風力発電用の風力羽根３０を配置してその電力で軸流ファン２０を駆動するとともに風力羽根３０によって排気専用路３０の排気を促進するようにする。【選択図】        図２
2004347206.tif 000002
【特許請求の範囲】
【請求項１】
同軸パイプによって内側の排気専用路と外側の吸気専用路とを室内外方向に異径同軸に形成し，排気手段による排気専用路からの室内排気の排出とこれに伴う室内負圧化による吸気専用路からの外気導入とを同時に自在としてなることを特徴とする換気扇。
【請求項２】
上記同軸パイプの排気専用路内又はその室内側の吸気専用路の外気導入を妨げない位置に軸流ファンを設置し，該軸流ファンを上記排気手段としてなることを特徴とする請求項１に記載の換気扇。
【請求項３】
上記同軸パイプの室外側に風力によって排気専用路及び吸気専用路間に差圧を発生する差圧発生部材を設置し，該差圧発生部材を上記排気手段としてなることを特徴とする請求項１に記載の換気扇。
【請求項４】
上記同軸パイプの室内側又はその排気専用路内に軸流ファンを設置するとともに同軸パイプの室内側に風力によって排気専用路及び吸気専用路間に差圧を発生する差圧発生部材を設置し，上記軸流ファン及び差圧発生部材を上記排気手段としこれらを選択使用自在としてなることを特徴とする請求項１に記載の換気扇。
【請求項５】
上記差圧発生部材を排気専用路の先端と離隔し且つ吸気専用路に連通する連通路を有する平面半円状乃至半球状の部材としてなることを特徴とする請求項３又は４に記載の換気扇。
【請求項６】
上記同軸パイプの室外側先端に風力羽根を設置し，蓄電手段を介した該風力羽根による風力発電の電力によって上記軸流ファンを駆動可能としてなることを特徴とする請求項１，２又は４に記載の換気扇。
【請求項７】
上記風力発電の電力に代えて又はこれとともに屋外に設置したソーラーパネルによる太陽熱発電の電力を用いてなることを特徴とする請求項１，２又は４に記載の換気扇。
【請求項８】
上記軸流ファンの駆動に交流電源の電力を予備的に使用可能としてなることを特徴とする請求項６又は７に記載の換気扇。
【発明の詳細な説明】
【０００１】
【発明の属する技術分野】
本発明は室内換気を目的に建物に設置使用する換気扇に関する。
【０００２】
【従来の技術及び発明が解決しようとする課題】
この種換気扇として，交流電源用モーターによって駆動する軸流ファンをケースに収納し，該ケースの室外側にシャッターを設置したものが周知であるが，この場合軸流ファンの駆動による室内の負圧化によって排気性能が低下し且つ風切りによる耳障りな騒音が発生する傾向を招き易いこと，特にこの傾向は住宅等の高気密化に伴って強く現れる結果となっていること，軸流ファンの排気仕事量が比較的大きいため商用電源の積算消費量がアップして運転コストが高くなり易いこと等の問題点が残されている。
【０００３】
本発明はかかる換気扇の問題点に鑑みてなされたもので，その解決課題とするところは，可及的簡易な構造で室内の負圧化を防止し負圧化に伴う問題点を解消し得る換気扇を提供するにあり，更にはその運転コストを可及的に低下し得るものとするにある。
【０００４】
【課題を解決するための手段】
上記第１の課題に添って本発明は，室内外を貫通する異径複数のパイプを同軸に配置した同軸パイプを用い，該同軸パイプによって室内の排気（空気といってもよい）を排出するために室内排気排出用の専用路をなす排気専用路と該室内に外気を導入する外気導入用の専用路をなす吸気専用路の２種区分のエア専用通路を異径同軸に形成し，排気手段によって排気専用路から室内排気を排出するとともにこれに伴う室内の負圧化により吸気専用路から排気量と同量の外気を室内に導入するようにして，同時的な排気排出と外気導入による室内の正圧化を行なうことによってその負圧化とその問題点の解消をなし得るようにしたものであって，即ち請求項１に記載の発明を，同軸パイプによって内側の排気専用路と外側の吸気専用路とを室内外方向に異径同軸に形成し，排気手段による排気専用路からの室内排気の排出とこれに伴う室内負圧化による吸気専用路からの外気導入とを同時に自在としてなることを特徴とする換気扇としたものである。
【０００５】
請求項２に記載の発明は，上記に加えて，上記排気手段を室内排気を強制排出するに好適な軸流ファンによるものとするように，これを，上記同軸パイプの排気専用路内又はその室内側の吸気専用路の外気導入を妨げない位置に軸流ファンを設置し，該軸流ファンを上記排気手段としてなることを特徴とする請求項１に記載の換気扇としたものである。
【０００６】
請求項３に記載の発明は，同じく上記に加えて，上記排気手段を，自然エネルギーの風力を用いて排気専用路室外側先端を高く，吸気専用路の室外側先端を低くするように排気専用路と吸気専用路の間に差圧を発生して室内排気を強制排出するに好適な差圧発生手段によるとともに運転コストの低下を可能とするように，これを，上記同軸パイプの室外側に風力によって排気専用路及び吸気専用路間に差圧を発生する差圧発生部材を設置し，該差圧発生部材を上記排気手段としてなることを特徴とする請求項１に記載の換気扇としたものである。
【０００７】
請求項４に記載の発明は，同じく上記に加えて，上記軸流ファンと差圧発生部材による双方の排気手段を備えることによって，例えば風力のあるときは差圧発生部材による強制排気を，風力のないときは軸流ファンによる強制排気を行なうように状況に応じて排気手段の選択的な使用を可能とし換気機能を可及的常時に確保するとともに運転コストを可及的に低下可能とするように，これを，上記同軸パイプの室内側又はその排気専用路内に軸流ファンを設置するとともに同軸パイプの室内側に風力によって排気専用路及び吸気専用路間に差圧を発生する差圧発生部材を設置し，上記軸流ファン及び差圧発生部材を上記排気手段としこれらを選択使用自在としてなることを特徴とする請求項１に記載の換気扇としたものである。
【０００８】
請求項５に記載の発明は，同じく上記に加えて，上記差圧発生部材を簡易な構造にして確実な強制排気をなし得るものとするように，これを，上記差圧発生部材を排気専用路の先端と離隔し且つ吸気専用路に連通する連通路を有する平面半円状乃至半球状の部材としてなることを特徴とする請求項３又は４に記載の換気扇としたものである。
【０００９】
請求項６に記載の発明は，同じく上記に加えて，上記軸流ファンの駆動に自然エネルギーの風力を使用して運転コストを低下するとともに軸流ファンによる排気の排出を促進して軸流ファンの排気効率を可及的に向上したものとするように，これを，上記同軸パイプの室外側先端に風力羽根を設置し，蓄電手段を介した該風力羽根による風力発電の電力によって上記軸流ファンを駆動可能としてなることを特徴とする請求項１，２又は４に記載の換気扇としたものである。
【００１０】
請求項７に記載の発明は，同じく上記に加えて，同様に上記軸流ファンの駆動に自然エネルギーの太陽熱を使用して運転コストを低下したものとするように，これを，上記風力発電の電力に代えて又はこれとともに屋外に設置したソーラーパネルによる太陽熱発電の電力を用いてなることを特徴とする請求項１，２又は４に記載の換気扇としたものである。
【００１１】
請求項８に記載の発明は，同じく上記に加えて，天候条件によって自然エネルギーの使用に障害があっても軸流ファンの駆動による室内排気の排出と外気導入を行って換気機能を常時確保し得るものとするように，これを，上記軸流ファンの駆動に交流電源の電力を予備的に使用可能としてなることを特徴とする請求項６又は７に記載の換気扇としたものである。
【００１２】
本発明はこれらをそれぞれ発明の要旨として上記課題解決の手段としたものである。
【００１３】
【発明の実施の形態】
以下図面の例に従って本発明を更に具体的に説明すれば，図１乃至図３においてＡは，例えば大量の換気を必要として排気仕事量が大きくなる厨房以外の，住宅の居室，浴室，公共施設や企業の会議室等の比較的換気量が少なくて済むことによって排気仕事量を可及的に小さくし得る個所に設置使用するようにした換気扇であり，該換気扇Ａは，同軸パイプ１０によって内側の排気専用路１６と外側の吸気専用路１７とを室内外方向に異径同軸に形成し，排気手段による排気専用路１６からの室内排気の排出とこれに伴う室内負圧化による吸気専用路１７からの外気導入とを同時に自在としてあり，本例にあって上記同軸パイプ１０の排気専用路１６内又はその室内側の吸気専用路１７の外気導入を妨げない位置に軸流ファン２０を設置し，該軸流ファン２０を上記排気手段としたものとしてある。
【００１４】
即ち本例にあって換気扇Ａは，軸流ファン２０を室内に向けて露出するように設置し，その背面側に同軸パイプ１０を配置し，該同軸パイプ１０に２種区分のエア専用通路として上記排気専用路１６と吸気専用路１７を形成するとともに該同軸パイプ１０の長手方向所定位置に軸流ファン２０の駆動用モーター２２等の関連部品を内蔵したものとしてある。
【００１５】
同軸パイプ１０は，本例にあって異径３本の，例えば断面円形のパイプ１１，１３，１５を用いて，これらを径小から径大となるように相互に離隔した状態に嵌挿して，中央配置の構造パイプ１１の内側に位置する径小の内側パイプ１３に上記排気専用路１６を，構造パイプ１１とその外側に位置する径大の外側パイプ１５間に吸気専用路１７を配置して，これらを室内外を貫通する異径同軸の２重のエア専用通路として形成したものとしてあり，このとき本例の異径３本による同軸パイプ１０は，その内側パイプ１３を上記中央配置の構造パイプ１１の長手方向両端にリング状内側のスペーサー１２を介して嵌挿状に支持し，外側パイプ１５を該構造パイプ１１の同じく長手方向両端にその長手方向の貫通を妨げないように外周所定間隔に配置した部分外側スペーサー１４を介して被嵌状に支持してあり，これによって，中央配置の構造パイプ１１を挟むようにその内外両側に該構造パイプ１１と平行となるように内側及び外側のパイプ１５を配置したものとしてある。
【００１６】
排気専用路１６は，内側パイプ１３の内径寸法の円形中空部によってこれを形成するようにしてあり，本例にあっては，円形中空部の中心付近長手方向所定位置に上記必要な部品を内蔵したことによってこれを除いて排気を排出し得るように断面をリング状として形成してあり，また吸気専用路１７は上記部分スペーサー１４の離隔寸法幅で構造パイプ１１と外側のパイプ１５間に形成された空間に同じく断面リング状をなすようにこれを形成してある。
【００１７】
軸流ファン２０は多数の羽根２１を備えた，上記可及的に小さい排気仕事量に応じて比較的小型のもの，例えば羽根の径を１０ｃｍ程度以下の小型ファンを用い，本例にあっては，これを上記構造パイプ１１の室内端に嵌合するとともに内側パイプ１３に形成した排気専用路１６室内側の開口にその羽根２１が臨設するように配置してあり，このとき上記異径３本のうちの構造パイプ１１を長寸に，内側パイプ１３をこれより短寸とすることによって室内側に形成した段差部分に該軸流ファン２０を納まりよく嵌合固定して，排気専用路１６室内側の開口と軸流ファン２０の回転径とを略一致させ，軸流ファン２０の駆動によって羽根２１が直接に排気専用路１６に排気を送り込むようにするとともに外側パイプ１５の長さを構造パイプより同じく短寸としてその室内側の開口を構造パイプ１１の長手方向やや室外側に変位するように配置することによって，吸気専用路１７が室内側の軸流ファン２０の駆動による影響を受けることなく外気を導入し得るようにしてある。
【００１８】
本例の排気手段をなす軸流ファン２０はモーター２２によってその駆動を行なうようにしてあり，該モーター２２は上記比較的換気量の小さな換気扇Ａに適合するように比較的小型のもの，例えば３Ｖ，４５ｍＷ，１０００ｒｐｍといった小型モーターを使用するとともにこれを軸流ファン２０に固定して上記内側パイプ１３内の中心部分に挿入配置してあり，該モーター２２を電力で回転駆動することによって軸流ファン２０を作動して換気扇Ａ設置箇所の換気を行なうようにしてある。
【００１９】
このように構成した換気扇Ａは，これを商用の交流電源によって駆動することも可能であり，この場合その消費電力を大きく減少し得るが，本例にあっては，例えばインバーターやＡＣアダプターを用いることによって電力不足による運転不能を回避し得るものとするように，交流電源の電力を予備的に使用可能とする一方で，上記同軸パイプ１０の室外側先端に風力羽根３０を設置し，蓄電手段を介した該風力羽根３０による風力発電の電力によって上記軸流ファン２０を駆動可能とし，また上記風力発電の電力とともに屋外に設置したソーラーパネル３１による太陽熱発電の電力を用いたものとしてあり，風力及び無風状態の継続時にこれを補完する太陽熱の自然エネルギーを使用して発電した電力を軸流ファン２０の駆動エネルギーとし得るようにして，換気扇Ａの運転コストを可及的に低下し得るようにしてある。
【００２０】
即ち本例の換気扇Ａは上記のように居室等の比較的換気量が少ない個所に設置することによって上記小型の軸流ファン２０を用いて，排気仕事量をその換気量に合わせて適正化し，モーター２２も小型化してあるから，その駆動のための消費電力を可及的に抑制することが可能であり，従って予備的に交流電源を使用可能とするも通常はこれによることなく風力発電や太陽熱発電の電力を使用することができる。
【００２１】
風力羽根３０は，例えば可及的効率よく微風でも可及的に回転し得るように，本例にあって径を４５ｃｍ，最大回転数５００ｒｐｍ程度としたものを用いて，その回転軸３６を継手３７を介して発電機３９に連結する一方，該回転軸３６のハウジング３５を，排気専用路１６の排気を妨げないように該当個所に透孔３３を透設した室外側閉塞板３２を介して上記構造パイプ１１に固定支持し，その室内側に設置した発電機３９とともに内側のパイプ１３の軸心部分に挿入配置し，回転軸３６の室外側先端に固定した取付座３４を介して風力羽根３０を同軸パイプ１０の壁面より屋外の室外端に配置してあり，風力を受けて該風力羽根３０を回転して，蓄電手段，例えば１．５Ｆ程度の蓄電コンデンサー４１に１次的に蓄電し，これをモーター２２の駆動源とするようにしてあり，また太陽熱発電のソーラーパネル３１は適宜太陽熱の照射に適した場所に，該換気扇Ａから離隔した位置に設置し同じく上記蓄電コンデンサー４１に蓄電使用するようにしてある。
【００２２】
この風力羽根３０の回転乃至太陽熱の照射による発電エネルギーは，例えばブロック図（図３）に示すように，これをコンデンサー充電器４０によって電力変換した後に蓄電コンデンサー４１に蓄電し，その電力をモータードライバー回路４２によって速度制御を施してモーター２２を回転し，これによって軸流ファン２０を駆動するようにすればよい。
【００２３】
本例の換気扇Ａにあっては，軸流ファン２０を排気手段としてそのモーター２２駆動することによって高速回転する羽根２１が室内の排気を上記内側のパイプ１３に配置した排気専用路１６に送り込みその室外側開口から室外に排出するとともにこの排気の排出に伴って室内が負圧化することによって吸気専用路１７の室外側開口から外気を室内に導入して排気と同時的に室内の正圧化を行うために，軸流ファン２０の羽根２１が正圧状態で回転し，排気性能の発揮と騒音の抑制を同時に可能とする。このとき室内の同時正圧化による負圧化防止は同軸パイプ１０を用いて排気専用路１６と吸気専用路１７とを異径同軸に形成することによってなし得るから，その構造を可及的に簡易化することができる。また本例にあっては比較的換気量の小さい個所に設置使用するように小型のものとして，全体にコンパクトにして外観の良好な省エネルギータイプのものとすることができ，軸流ファン２０の駆動に風力発電や太陽熱発電による自然エネルギーの電力を利用したから，予備的に交流電源を使用しても，その運転コストを極限的に減少したものとすることができ，更に本例にあっては室外側配置の風力羽根３０が上記排気専用路１６の室外側開口近傍に位置することによって排気専用路１６の排気を吸引する結果，軸流ファン２０による排気の排出を促進してより有効な排気を行なうことができる。
【００２４】
また本例の換気扇Ａは，２×４住宅，外断熱住宅等の壁を貫通する場合を含めて長さを設定し室外側に風力羽根３０を備えるために，例えば２０〜２５ｃｍ程度といったある程度長寸のものとするも，室内側における外形寸法は，軸流ファン２０を同軸パイプ１０，特に構造パイプ１１に納めるように配置したことによって，羽根２１の径，例えば１０ｃｍの場合に，これより幾分大きめの１３ｃｍ程度，６ｃｍ程度の羽根２１径のものを用いた本例にあっては７，８ｃｍ程度とすることができ，風力羽根３０を除いて全体として極めてコンパクトな円形ブロック状にして外観も良好なものとすることができる。
【００２５】
図１乃至図３において２３は軸流ファン２０の室内側取付板，２４は吸気専用路１７の室内側セパレーター，３８は増速機，４３は逆流防止器を示す。
【００２６】
図４及び図５は他の例を示すもので，本例にあって換気扇Ａは，同軸パイプ１０の室外側に風力によって排気専用路１６及び吸気専用路１７間に差圧を発生する差圧発生部材２５を設置し，該差圧発生部材２５を上記排気手段としてあり，このとき本例にあっては上記同軸パイプ１０の室内側又はその排気専用路１６内に軸流ファン２０を設置するとともに該差圧発生部材２５を設置し，上記軸流ファン２０及び差圧発生部材２５を上記排気手段としこれらを選択使用自在としてある。
【００２７】
本例にあって同軸パイプ１０は内側パイプ１３と外側パイプ１５の異径２本のパイプを用いて，これを図示省略の部分スペーサーを介して配置し，その内側パイプ１３に排気専用路１６を，内側パイプ１３と外側パイプ１５間に吸気専用路１７を異径同軸に配置したものとしてあり，このとき上記差圧発生部材２５は，同軸パイプ１０の室外側に該同軸パイプ１０との間に空隙を形成するように離隔設置して，例えば側方からの風向を差圧発生部材２５の内側，即ち同軸パイプ１０との空隙に向いこれを通過する風量と差圧発生部材２５の外側，即ち背面側に向いこれを通過する風量の２つに分離することによって，ベルヌーイの定理に基づき空隙と背面側に発生する差圧を利用し，差圧が低い側の排気専用路１６から室内排気を吸引するように排出することによって排気手段をなすようにする一方，室内排気の排出による室内の負圧化に伴い差圧が高い側の吸気専用路１７から室内に外気を導入するようにしてあり，本例にあって該差圧発生部材２５は，これを排気専用路１６の室外側開口の先端と離隔し且つ吸気専用路１７に連通する連通路２７を有する平面半円状乃至半球状の部材，特に平面半円状の部材としてある。
【００２８】
即ち本例の差圧発生部材２５は，側方からの風向を分離するに好適とするように側方に向けて円弧面をなす略半円形をなす中実棒状のものとし，同軸パイプ１０による吸気専用路１７との間を複数，例えば４箇所のブリッジパイプ２６で連結するとともに該パイプ２６を背面中央位置に形成した凹陥部２８に連通するように挿通することによって上記吸気専用路１６と差圧発生部材２５の背面との間に連通路２７を形成する一方，該パイプ２６を差圧発生部材２５の固定手段として，これを上記排気専用路１６の室外側開口との間に離隔した空隙を形成するように同軸パイプ１０に取付固定してあり，これによって風向により発生する差圧Ｐによる風量Ｆを，Ｆ＝∝Ｐ１＞Ｐ２とすることにより排気専用路１６からの室内排気の排出を行うようにし，換気扇Ａに風力による自然換気機能を付与してある。図中２９は差圧発生部材２５と軸流ファン２０の切換え用に差圧発生部材２５に設置した風速検知センサーである。その余の構造乃至換気扇駆動回路は基本的に図１乃至図３のものと変らないかこれに準じて構成してあるのでその重複する説明を省略する。
【００２９】
本例にあって軸流ファン２０は，これを同軸パイプ１０における内側パイプ１３の中空部による排気専用路１６内，特にその長手方向中間位置に設置してあり，このとき本例の軸流ファン２０の駆動は，これを上記風力発電の電力に代えて屋外に設置したソーラーパネル３１による太陽熱発電の電力を用いて自然エネルギーを使用したものとしてあり，上記と同様に交流電源の電力を予備的に使用可能として電力不足による運転不能を回避するようにしてある。
【００３０】
本例の換気扇Ａは，上記と同様にコンパクトにして外観良好のものとすることができるとともに差圧発生部材２５によってこれが排気手段をなして自然換気機能を発揮するとともに同軸パイプ１０による排気専用路１６と吸気専用路１７によって上記と同様に室内の負圧化を解消するものとなし得る一方，排気手段に自然エネルギーの風力を使用し，また風力のないときにも同じく自然エネルギーの太陽熱発電の電力を使用し，予備的に交流電源の電力を使用するも運転コストを可及的に低下することができる。
【００３１】
図示した例は以上のとおりとしたが，排気専用路及び吸気専用路の室内外の開口に排気及び外気導入を妨げないようにカバーを設置して雨水，塵埃等の侵入を防止すること，蓄電手段を用いた自然エネルギー利用によって軸流ファンを駆動するものとするとき，該蓄電手段を蓄電池とすること等を含めて，同軸パイプ，排気専用路，吸気専用路，必要に応じて用いる軸流ファン，差圧発生部材，風力羽根，ソーラーパネル，蓄電手段等の各具体的形状，構造，材質，これらの関係，これらに対する付加等は，上記発明の要旨に反しない限り様々の形態とすることができる。
【００３２】
【発明の効果】
本発明は以上のとおりに構成したから，請求項１に記載の発明は，室内外を貫通する異径複数のパイプを同軸に配置した同軸パイプを用い，該同軸パイプによって室内の排気を排出するために室内排気排出用の専用路をなす排気専用路と該室内に外気を導入する外気導入用の専用路をなす吸気専用路の２種区分のエア専用通路を異径同軸に形成し，排気手段によって排気専用路から室内排気を排出するとともにこれに伴う室内の負圧化により吸気専用路から排気量と同量の外気を室内に導入するようにして，同時的な排気排出と外気導入による室内の正圧化を行なうことによって可及的簡易な構造で室内の負圧化を防止し負圧化に伴う問題点を解消した換気扇を提供することができる。
【００３３】
請求項２に記載の発明は，上記に加えて，上記排気手段を室内排気を強制排出するに好適な軸流ファンを用いたものとすることができる。
【００３４】
請求項３に記載の発明は，同じく上記に加えて，上記排気手段を，自然エネルギーの風力を用いて排気専用路室外側先端を高く，吸気専用路の室外側先端を低くするように排気専用路と吸気専用路の間に差圧を発生して室内排気を強制排出するに好適な差圧発生手段によるとともに運転コストの低下を行なうことができる。
【００３５】
請求項４に記載の発明は，同じく上記に加えて，上記軸流ファンと差圧発生部材による双方の排気手段を備えることによって，例えば風力のあるときは差圧発生部材による強制排気を，風力のないときは軸流ファンによる強制排気を行なうように状況に応じて排気手段の選択的な使用を可能とし換気機能を可及的常時に確保するとともに運転コストを可及的に低下することができる。
【００３６】
請求項５に記載の発明は，同じく上記に加えて，上記差圧発生部材を簡易な構造にして確実な強制排気をなし得るものとすることができる。
【００３７】
請求項６に記載の発明は，同じく上記に加えて，上記軸流ファンの駆動に自然エネルギーの風力を使用して運転コストを低下するとともに軸流ファンによる排気の排出を促進して軸流ファンの排気効率を可及的に向上したものとすることができる。
【００３８】
請求項７に記載の発明は，同じく上記に加えて，同様に上記軸流ファンの駆動に自然エネルギーの太陽熱を使用して運転コストを低下したものとすることができる。
【００３９】
請求項８に記載の発明は，同じく上記に加えて，天候条件によって自然エネルギーの使用に障害があっても軸流ファンの駆動による室内排気の排出と外気導入を行って換気機能を常時確保し得るものとすることができる。
【図面の簡単な説明】
【図１】換気扇の室内側正面図である。
【図２】図１の換気扇の一部切欠側面図である。
【図３】図１の換気扇駆動制御回路のブロック図である。
【図４】他の例を示す換気扇の横断面図である。
【図５】図４の換気扇の縦断面図である。
【符号の説明】
Ａ  換気扇
１０  同軸パイプ
１１  構造パイプ
１３  内側のパイプ
１５  外側のパイプ
１６  排気専用路
１７  吸気専用路
２０  軸流ファン
２１  羽根
２２  モーター
２５  差圧発生部材
３０  風力羽根
３１  ソーラーパネル
【図１】
2004347206.tif 000003
【図２】
2004347206.tif 000004
【図３】
2004347206.tif 000005
【図４】
2004347206.tif 000006
【図５】
2004347206.tif 000007